(57)【要約】【課題】簡単な構造を有し、略円筒形状を備えた部材を把持して回転させることが可能であり、かつ前記部材のサイズが変更されても、このサイズ変更に対応できる汎用性の高いレンチを提供する。【解決手段】回転させたい部材の外周に当接可能な内周面１２を有する保持部１１と、保持部１１に対し相対的に回動可能に接続される柄部１３と、保持部１１と柄部１３との接続部１４に移動可能に配置されると共に、平面視で略円形状を有するロック部材１５を備え、ロック部材１５は、柄部１３が回動した際に、柄部１３により押圧されて保持部１１の内周面１２から突出する。【選択図】　　　　図１
2004114199.tif 000002
【特許請求の範囲】
【請求項１】
略円筒形状を備えた部材を回転させるレンチであって、
前記部材の外周に当接可能な内周面を有する保持部と、
前記保持部に対し相対的に回動可能に接続される柄部と、
前記保持部と柄部との接続部に移動可能に配置されると共に、平面視で略円形状を有するロック部材と、
を備え、
前記ロック部材は、前記柄部が回動した際に、当該柄部により押圧されて前記保持部の内周面から突出するよう構成されてなるレンチ。
【請求項２】
前記保持部は、平面視で円形リング状を備えてなる請求項１記載のレンチ。
【請求項３】
前記柄部の長手方向基端側に、前記ロック部材を前記保持部の内周面から突出するよう押圧する傾斜部を形成した請求項１または請求項２記載のレンチ。
【請求項４】
前記接続部の先端側に、第１の円筒部材を介して、前記柄部の長手方向基端部を回動可能に接続し、当該接続部の基端側に、第２の円筒部材を介して、前記ロック部材を移動可能に接続してなる請求項１ないし請求項３のいずれか一項に記載のレンチ。
【請求項５】
前記接続部に、共通の円筒部材を介して、前記柄部の長手方向基端部を回動可能に接続すると共に、前記ロック部材を移動可能に接続してなる請求項１ないし請求項３のいずれか一項に記載のレンチ。
【請求項６】
前記柄部の長手方向に延びる中心線は、前記ロック部材の中心線と一致すると共に、この中心線と平行に位置する前記保持部の中心線に対し偏心してなり、前記傾斜部は、当該偏心方向端部から当該偏心方向とは反対側の端部に向けて、前記柄部の長手方向先端側に後退するよう形成されている請求項１ないし請求項５のいずれか一項に記載のレンチ。
【請求項７】
前記柄部の長手方向に延びる中心線は、これと平行に位置する前記保持部の中心線、及び前記ロック部材の中心線に一致してなり、前記傾斜部は、前記柄部の中心線に対し線対称に形成され、かつ当該柄部の中心線を挟む両側端部から当該中心線に向けて、前記柄部の長手方向先端側に後退するよう略Ｖ字状に形成されている請求項１ないし請求項５いずれか一項に記載のレンチ。
【請求項８】
前記柄部が回動した際に、前記ロック部材が前記保持部の内周面から突出するよう当該ロック部材を付勢する付勢機構をさらに備えた請求項７記載のレンチ。
【請求項９】
前記付勢機構は、
前記柄部が一方の回動方向に回動した際に、この方向とはほぼ逆の方向に前記ロック部材を付勢する第１の付勢手段と、
前記柄部が他方の回動方向に回動した際に、この方向とはほぼ逆の方向に前記ロック部材を付勢する第２の付勢手段と、
前記柄部の回動に応じて、いずれか一方の付勢手段が前記ロック部材を付勢するよう切替える切替手段と、
を備えた請求項８記載のレンチ。
【発明の詳細な説明】
【０００１】
【発明が属する技術分野】
本発明は、略円筒形を備えた部材の外周面を把持して当該部材を回転させるレンチに関する。
【０００２】
【従来の技術】
従来、例えば、ナットとボルト等のような締結部材を、効率よく締め付け、または緩めるために、レンチが使用されている。
【０００３】
例えば、このようなレンチとして、実開昭５１−１００９９７号公報、実開昭５６−１１０７６号公報、実開平３−３３０６６号公報、及び特開平７−６８４７３号公報等に記載されたものがある。
【０００４】
実開昭５１−１００９９７号公報に記載されたレンチ（スパナ）は、ボルト・ナットの二つの外側面に接する抱持面を備えたボルト・ナット嵌合孔を有する抱持具の端部を湾曲してなる部材を、ボルト・ナットの一側面に接すると共に前記抱持面と共働してボルト・ナットを挟持する挟持面を有するクレビス状の係合部に、軸を介して揺動自在に設けた構造を備えている。（実用新案登録文献１）。
【０００５】
また、実開昭５６−１１０７６号公報、実開平３−３３０６６号公報、及び特開平７−６８４７３号公報に記載されているレンチ（スパナ）は、ボルト・ナット等の締結部材の外周面に装着される内周面を有しており、この内周面に複数のローラを配設した構造を備えている。この構成を備えたレンチは、前記複数のローラによって、前記締結部材の外周面を把持し、当該締結部材を他の部材に対して締め付けることができる。（実用新案登録文献２）、（実用新案登録文献３）、（特許文献１）。
（実用新案登録文献１）
実開昭５１−１００９９７号公報
（実用新案登録文献２）
実開昭５６−１１０７６号公報
（実用新案登録文献３）
実開平３−３３０６６号公報
（特許文献１）
特開平７−６８４７３号公報
【発明が解決しようとする課題】
しかしながら、前記実開昭５１−１００９９７号公報に記載されたレンチは、六角ボルトを締め付けるための構造を備えており、例えば、円筒形の締結部材を締め付けるための構造については考慮されていなかった。
【０００６】
また、実開昭５６−１１０７６号公報、実開平３−３３０６６号公報、及び特開平７−６８４７３号公報に記載されているレンチは、複数のローラを備えており、これらのローラを保持したり付勢したりする構造が複雑であった。
【０００７】
本発明は、このような従来の問題点を解決することを課題とするものであり、簡単な構造を有し、略円筒形状を備えた部材を把持して回転させることが可能であり、かつ前記部材のサイズが変更されても、このサイズ変更に対応できる汎用性の高いレンチを提供することを目的とする。
【０００８】
【課題を解決するための手段】
この目的を達成するため本発明は、略円筒形状を備えた部材を回転させるレンチであって、前記部材の外周に当接可能な内周面を有する保持部と、前記保持部に対し相対的に回動可能に接続される柄部と、前記保持部と柄部との接続部に移動可能に配置されると共に、平面視で略円形状を有するロック部材と、を備え、前記ロック部材は、前記柄部が回動した際に、当該柄部により押圧されて前記保持部の内周面から突出するよう構成されてなるレンチを提供するものである。
【０００９】
なお、本発明でいう「平面視」とは、円筒形状を備えた部材に保持部を挿入する方向から見ることをいう。
【００１０】
この構成を備えたレンチは、１つのロック部材を設けるだけという簡単な構造で、略円筒形状を備えた部材を把持して回転させることができる。また、前記略円筒形状を備えた部材のサイズが変更になっても、ロック部材が前記内周面から突出する量を調節することで、サイズの変更に対応することができ、汎用性が高いレンチとなる。
【００１１】
前記保持部は、平面視で円形リング状を備えることができる。
【００１２】
また、前記柄部の長手方向基端側に、前記ロック部材を前記保持部の内周面から突出するよう押圧する傾斜部を形成することもできる。
【００１３】
そしてまた、前記接続部の先端側に、第１の円筒部材を介して、前記柄部を回動可能に接続し、当該接続部の基端側に、第２の円筒部材を介して、前記ロック部材を移動可能に接続することもできる。
【００１４】
さらにまた、前記接続部に、共通の円筒部材を介して、前記柄部の長手方向基端部を回動可能に接続すると共に、前記ロック部材を移動可能に接続することもできる。
【００１５】
また、前記柄部の長手方向に延びる中心線は、前記ロック部材の中心線と一致すると共に、この中心線と平行に位置する前記保持部の中心線に対し偏心してなり、前記傾斜部は、当該偏心方向端部から当該偏心方向とは反対側の端部に向けて、前記柄部の長手方向先端側に後退するよう形成することもできる。
【００１６】
この構成を備えたレンチは、柄部を最初の位置（ニュートラルな位置）から一方向に回動させると、前記傾斜部がロック部材を押圧し、これによってロック部材は、保持部の内周面から突出する。この動作によって、保持部に挿入された略円筒形状を備えた部材を、保持部の内周面とロック部材とによって確実に把持することができ、当該部材を、前記柄部の回動方向に回転させるという一方向クラッチを実現することができる。また、前記ロック部材の前記内周面から突出する量は、前記柄部の回動量（移動）に応じて決定することができるため、前記略円筒形状を備えた部材の径がある程度変更されても、当該部材を把持することができる。
【００１７】
そしてまた、前記柄部の長手方向に延びる中心線は、これと平行に位置する前記保持部の中心線、及び前記ロック部材の中心線に一致してなり、前記傾斜部は、前記柄部の中心線に対し線対称に形成され、かつ当該柄部の中心線を挟む両側端部から当該中心線に向けて、前記柄部の長手方向先端側に後退するよう略Ｖ字状に形成することもできる。
【００１８】
このように構成することで、柄部をいずれの方向に回動させても、前記部材を把持して、その方向へ回転させることができるという両方向クラッチを実現することができる。また、この場合も、ロック部材の前記内周面から突出する量は、柄部の回動量（移動）に応じて決定することができるため、前記略円筒形状を備えた部材の径がある程度変更されても、当該部材を把持することができる。
【００１９】
また、この構成の場合、前記柄部が回動した際に、前記ロック部材が前記保持部の内周面から突出するよう当該ロック部材を付勢する付勢機構をさらに備えることが好ましい。
【００２０】
この構成を備えたレンチは、一方向（例えば、時計方向）に回動させると、付勢機構、及び前記中心線より反時計方向側に形成されている傾斜部が共にロック部材を押圧し、これによってロック部材は、保持部の内周面から突出する。一方、柄部を他方向（例えば、反時計方向）に回動させると、付勢機構、及び前記中心線より時計方向側に形成されている傾斜部が共にロック部材を押圧し、これによってロック部材は、保持部の内周面から突出する。したがって、柄部をいずれの方向に回動させても、前記部材をさらに確実に把持してその方向へ回転させることができる。
【００２１】
前記付勢機構は、前記柄部が一方の回動方向に回動した際に、この方向とは逆の方向に前記ロック部材を付勢する第１の付勢手段と、前記柄部が他方の回動方向に回動した際に、この方向とは逆の方向に前記ロック部材を付勢する第２の付勢手段と、前記柄部の回動に応じて、いずれか一方の付勢手段が前記ロック部材を付勢するよう切替える切替手段と、を備えることもできる。
【００２２】
【発明の実施の形態】
次に、本発明の好適な実施形態にかかるレンチについて図面を参照して説明する。なお、以下に記載される実施の形態１〜３は、本発明を説明するための例示であり、本発明をこれらの実施形態にのみ限定するものではない。本発明は、その要旨を逸脱しない限り、様々な形態で実施することができる。
（実施の形態１）
図１は、本発明の実施の形態１にかかるレンチの初期状態を示す断面図（図３に示すＩ−Ｉ線に沿った断面図）、図２は、図１に示すレンチの一部を拡大した図（但し、煩雑さを避けるため、断面部分を示すハッチングは省略）、図３は、図１に示すＩＩＩ−ＩＩＩ線に沿った断面図である。
【００２３】
図１〜図３に示すように実施の形態１にかかるレンチ１は、図３に示す略円筒形の部材（以下、「締結部材１００」という）の外周に当接可能な内周面１２を有する保持部１１と、保持部１１に対し相対的に回動可能に接続される柄部１３と、保持部１１と柄部１３との接続部１４に移動可能に配置されると共に、平面視で略円形状を有するロック部材１５と、を備えて構成されている。そして、柄部１３を反時計方向に回動させた際に、締結部材１００を把持して回転させるよう構成されている。
【００２４】
保持部１１は、平面視で、その中央部に円形の穴１６が貫通形成された円形リング状を備えており、穴１６には締結部材１００が挿入可能となっている。この穴１６によって、内周面１２が画定されている。保持部１１の内周面１２に臨む位置には、柄部１３及びロック部材１５を接続するための接続部１４が形成されている。この接続部１４には、内周面１２から離れた端部（以下、こちら側を「先端側」という）に、後に詳述する柄部１３の長手方向基端部１３Ａが、円筒形のピン１８によって回動可能に接続されている。また、接続部１４の内周面１２側（以下、こちら側を「基端側」という）には、後に詳述するロック部材１５が円筒形のピン１７に遊嵌されて配設されている。この接続部１４は、保持部１１の中心線Ｏ１に対して偏心した位置（図１及び図２でいうと、中心線Ｏ１より上側）にその中心線がくるように配設されている。
【００２５】
柄部１３の基端部１３Ａは、ピン１８が挿入されるピン穴２０が貫通形成されており、このピン穴２０に挿入されたピン１８によって、接続部１４の先端側に回動可能に接続されている。この柄部１３は、その長手方向に延びる中心線Ｏ２が、保持部１１の中心線Ｏ１に対して偏心した状態で接続されている。また、柄部１３の基端部１３Ａには、傾斜部１９が形成されている。この傾斜部１９は、柄部１３の中心線Ｏ２に対し垂直な方向（図１及び図２でいう上下方向）であって、中心線Ｏ２側（図１及び図２でいう上側）に位置する端部から、これと反対側の端部（図１及び図２でいう下側）に向けて、柄部１３の長手方向先端側に後退するよう傾斜している。この傾斜部１９は、柄部１３が、ピン１８を支点として反時計方向（図１に示す矢印Ｘ方向）に回動した際に、ロック部材１５が内周面１２から穴１６内に突出するように押圧可能となっている。
【００２６】
ロック部材１５は、その中央部にピン１７が遊嵌されるピン穴２１が貫通形成された略円筒部材から構成されている。すなわち、ピン穴２１の径は、ピン１７の径より大きく形成されている。（一例としては、ピン１７の直径＝８φ、ピン穴２１の直径＝８．４φ）。したがって、ロック部材１５は、柄部１３の傾斜部１９に押圧された際に、ピン１７を支点（中心）として、ピン１７とピン穴２１との間に形成される隙間分だけ移動可能となっている。このロック部材１５は、保持部１１の中心線Ｏ１に平行な中心線が柄部１３の中心線Ｏ２と一致するように配設されており、したがって、保持部１１の中心線Ｏ１に対して偏心した状態で接続されている。このため、ロック部材１５の中心線を保持部１１の中心線Ｏ１に一致させて配設した場合に比べ、ロック部材１５が傾斜部１９に押圧されて移動した際に、内周面１２から突出する量を大きくとることができる。
【００２７】
次に、実施の形態１にかかるレンチ１の具体的動作について図面を参照して説明する。
【００２８】
初期状態にあるレンチ１（図１参照）の穴１６内に、締結部材１００（例えば、工具ホルダのカラー、ナット等の回転筒等）を挿入する。この状態で、柄部１３をピン１８を支点として反時計方向（図１に示す矢印Ｘ方向）に回動させると、図２に示すように、柄部１３の傾斜部１９がロック部材１５を、図２でいう左下方向に押圧する。この動作により、ロック部材１５は、図２に波線で示すように、保持部１１の内周面１２から穴１６内に突出し、締結部材１００は、内周面１２とロック部材１５との間に把持される。この時、締結部材１００は、ロック部材１５の楔効果によって確実に締め付けられる。一方、柄部１３は、保持部１１に対してこれ以上相対的に回動しなくなり、保持部１１と一体となって締結部材１００を反時計方向に回転させる。
【００２９】
このように、レンチ１は、一つのロック部材１５を配設するだけという簡単な構造で締結部材１００を確実に一方向（実施の形態１では、反時計方向）に回転させることができる。
【００３０】
また、締結部材１００の回転を終了させる際は、柄部１３の反時計方向の回動を停止すれば、柄部１３の傾斜部１９がロック部材１５に対する押圧を解除し、ロック部材１５は、図２に実線で示すように元の位置に戻り、保持部１１の内周面１２から突出しなくなる。したがって、締結部材１００はレンチ１によって把持されなくなり、回転が終了する。
【００３１】
なお、レンチ１は、ピン１７の径の大きさと、ロック部材１５のピン穴２１の径の大きさを調節し、両者の間に形成される隙間を任意に決定することで、ロック部材１５が保持部１１の内周面１２から突出する量を制御することができる。したがって、締結部材１００のサイズが変更になっても、ロック部材１５が内周面１２から突出する量を調節して、サイズが異なる締結部材を回転させることができ、汎用性が高いレンチとなる。
【００３２】
なお、実施の形態１では、ロック部材１５として、略円筒形の部材を用いた場合について説明したが、これに限らず、ロック部材１５は、平面視で略円形状を有しており、保持部の内周面から突出するよう移動可能であれば、球状、円盤状等、種々の形状をとることができる。
【００３３】
また、実施の形態１では、柄部１３の基端部１３Ａに傾斜部１９を形成した場合について説明したが、傾斜部１９の形状は、これに限らず、柄部１３を回動させた際に、ロック部材１５を押圧して保持部１１の内周面１２から突出させることが可能であれば、他の形状を備えていてもよいことは勿論である。また、柄部１３によってロック部材１５を押圧して、ロック部材１５を保持部１１の内周面１２から突出させることが可能であれば、必ずしも傾斜部１９を備える必要はない。
（実施の形態２）
次に、本発明の実施の形態２にかかるレンチについて、図面を参照して説明する。
【００３４】
図４は、本発明の実施の形態２にかかるレンチの初期状態を示す断面図（図６に示すＩＶ−ＩＶ線に沿った断面図）、図５及び図６は、図４に示すレンチの一部を拡大した図（但し、煩雑さを避けるため、断面部分を示すハッチングは省略）、図７は、図４に示すＶＩ−ＶＩ線に沿った断面図、図８は、図４のＶＩＩＩ−ＶＩＩＩ線に沿った断面図である。
【００３５】
なお、実施の形態２では、実施の形態１で説明した部材と同様の部材には、同一の符号を付し、その詳細な説明は省略する。
【００３６】
図４〜図８に示すように、実施の形態２にかかるレンチ２の、実施の形態１にかかるレンチ１と主に異なる点は、柄部２３とロック部材２５が、同一のピン１７によって接続部１４に接続されていることである。
【００３７】
すなわち、レンチ２は、締結部材１００（図７参照）の外周に当接可能な内周面１２を有する保持部１１と、接続部１４に接続され、保持部１１に対し相対的に回動可能な柄部２３と、柄部２３と共に接続部１４に移動可能に接続され、かつ平面視で略円形状を有するロック部材２５と、を備えて構成されている。そして、柄部２３を時計方向に回動させた際に、内周面１２内に挿入された締結部材１００を把持して時計方向に回転させるよう構成されている。
【００３８】
柄部２３の基端部２３Ａは、ピン１７が挿入されるピン穴２４が貫通形成されており、このピン穴２４に挿入されたピン１７によって、接続部１４の略中心部に回動可能に接続されている。このピン穴２４の径は、ピン１７の径より大きく形成されている。（一例としては、ピン１７の直径＝８φ、ピン穴２１の直径＝８．４φ）。したがって、柄部２３は、ピン１７を支点として回動可能であると共に、ピン１７とピン穴２４との間に形成される隙間分、移動可能となっている。この柄部２３は、実施の形態１で説明した柄部１３と同様にその長手方向に延びる中心線Ｏ２が、保持部１１の中心線Ｏ１に対して偏心した状態で接続されている。また、柄部２３の基端部２３Ａには、傾斜部２９が形成されている。この傾斜部２９は、実施の形態１で説明した傾斜部１９と同様に傾斜している。この傾斜部２９は、柄部２３が、ピン１７を支点とし時計方向（図６に示す矢印Ｙ方向）に回動した際に、ロック部材２５が内周面１２から穴１６内に突出するように押圧可能となっている。
【００３９】
ロック部材２５は、その中央部にピン１７が遊嵌されるピン穴２６が貫通形成された略円筒部材から構成されている。このピン穴２６は、中心線Ｏ２と垂直な方向（図４〜図６でいう上下方向）が長い長穴から形成されており、中心線Ｏ２と平行な方向は、ピン１７の径とほぼ同一に形成されている。さらにピン穴２６は、中心線Ｏ２に対して偏心した位置（図４〜図６でいうと、中心線Ｏ２より上側）に中心Ｏ３がくるように配設されている。したがって、ロック部材２５は、柄部２３が時計方向に回動して傾斜部２９に押圧された際に、ピン１７を支点として、中心線Ｏ２側に移動可能（図６に波線で示したロック部材２５参照）となっている。
【００４０】
ここで、ロック部材２５の中心線Ｏ２は、保持部１１の内周面１２の中心線Ｏ１に対し偏心しているため、ロック部材２５は、中心線Ｏ２に対し垂直な下方向に移動するだけで、内周面１２から突出可能となる（図６に波線で示したロック部材２５参照）。
【００４１】
次に、実施の形態２にかかるレンチ２の具体的動作について図面を参照して説明する。
【００４２】
初期状態にあるレンチ２（図４参照）の穴１６内に、締結部材１００を挿入する。この動作により、柄部２３及びロック部材２５は、ピン１７と柄部２３のピン穴２４との間に形成された隙間分、図５に一点鎖線で示すように上方に移動する。この状態から、柄部２３をピン１７を支点として時計方向（図６に示す矢印Ｙ方向）に、回動させると、図６に示すように、柄部２３の傾斜部２９がロック部材２５を押圧し、これによってロック部材２５は、時計方向（図６に示す矢印Ｚ方向）に滑りながら（例えば、距離ａ／２移動）、中心線Ｏ２に対し垂直な下方向に移動し、図６に点線で示すように、保持部１１の内周面１２から穴１６内に突出し、締結部材１００は、内周面１２とロック部材２５との間に把持される。この時、締結部材１００は、ロック部材２５の楔効果によって確実に締め付けられる。一方、柄部２３は、保持部１１に対してこれ以上相対的に回動しなくなり、保持部１１と一体となって締結部材１００を時計方向に回転させる。
【００４３】
このように、レンチ２も実施の形態１にかかるレンチ１と同様に、一つのロック部材２５を配設するだけという簡単な構造で締結部材１００を確実に一方向（実施の形態２では、時計方向）に回転させることができる。
【００４４】
また、締結部材１００の回転を終了させる際は、柄部２３の時計方向の回動を停止すれば、柄部２３の傾斜部２９がロック部材２５に対する押圧を解除し、ロック部材２５は、図６に実線で示すように元の位置に戻り、保持部１１の内周面１２から突出しなくなる。したがって、締結部材１００はレンチ２によって把持されなくなり、回転が終了する。
【００４５】
なお、実施の形態２にかかるレンチ２は、ロック部材２５のピン穴２６の中心線Ｏ２に垂直な方向の長さを調節することで、ロック部材２５が保持部１１の内周面１２から突出する量を制御することができる。したがって、締結部材１００のサイズが変更になっても、ロック部材２５が内周面１２から突出する量を調節して、このサイズが変更になった締結部材１００を回転させることができ、汎用性が高いレンチとなる。
【００４６】
なお、実施の形態２では、ロック部材２５として、略円筒形の部材を用いた場合について説明したが、これに限らず、ロック部材２５は、平面視で略円形状を有しており、保持部の内周面から突出するよう移動可能であれば、球状、円盤状等、種々の形状をとることができる。
【００４７】
また、実施の形態２にかかるレンチ２の傾斜部２５も、実施の形態１にかかるレンチ１の傾斜部１９と同様に、他の形状を備えていてもよく、また、柄部２３が、ロック部材２５を押圧して保持部１１の内周面１２から突出させることが可能であれば、必ずしも傾斜部２９を備える必要はない。
（実施の形態３）
次に、本発明の実施の形態３にかかるレンチ３について図面を参照して説明する。
【００４８】
図９は、本発明の実施の形態３にかかるレンチの初期状態を示す断面図（図１１に示すＩＸ−ＩＸ線に沿った断面図）、図１０は、図９に示すレンチの一部を拡大した図（但し、煩雑さを避けるため、断面部分を示すハッチングは省略）、図１１は、図９に示すＸＩ−ＸＩ線に沿った断面図である。
【００４９】
なお、実施の形態３では、実施の形態１及び２で説明した部材と同様の部材には、同一の符号を付し、その詳細な説明は省略する。
【００５０】
図９〜図１１に示すように、実施の形態３にかかるレンチ３の、実施の形態２にかかるレンチ２と主に異なる点は、柄部３３に形成された傾斜部３９Ａ及び３９Ｂの形状と、ロック部材３５に形成されたピン穴３６の形状と、接続部３４の配設位置と、ロック部材３５が保持部１１の内周面１２から突出するよう、ロック部材３５を付勢する付勢機構４０を設けた点である。
【００５１】
すなわち、レンチ３は、締結部材１００（図１１参照）の外周に当接可能な内周面１２を有する保持部１１と、保持部１１の内周面１２に臨む位置に、中心線が保持部１１の中心線Ｏ１と一致するよう配設された接続部３４と、接続部３４に接続され、保持部１１に対し相対的に回動可能な柄部３３と、柄部３３と共に接続部３４に移動可能に接続され、かつ平面視で略円形状を有するロック部材３５と、ロック部材３５が保持部１１の内周面１２から穴１６内に突出するようロック部材３５を付勢する付勢機構４０と、を備えて構成されている。そして、柄部３３を時計方向あるいは反時計方向に回動させた際に、内周面１２内に挿入された締結部材１００を把持して、前記いずれかの回転方向に転結部材１００を回転させるよう構成されている。
【００５２】
柄部３３の基端部３３Ａは、ピン１７が挿入されるピン穴２４が貫通形成されており、このピン穴２４に挿入されたピン１７によって、接続部１４の略中心部に回動可能に接続されている。したがって、この柄部３３は、その長手方向に延びる中心線が、保持部１１の中心線Ｏ１に一致した状態で配設される。また、柄部３３の基端部３３Ａには、傾斜部３９Ａ及び３９Ｂが形成されている。この傾斜部３９Ａ及び３９Ｂは、柄部３３の中心線を挟む両側端部（図９及び図１０でいう上下方向端部）から当該中心線に向けて、柄部３３の先端側に後退する略Ｖ字状となるよう形成されている。そして、傾斜部３９Ａ及び３９Ｂは、互いに柄部３３の中心線に対し線対称となっている。
【００５３】
ロック部材３５は、その中央部にピン１７が遊嵌されるピン穴３６が貫通形成された略円筒部材から構成されている。すなわち、ピン穴３６の径は、ピン１７の径より大きく形成されている。（一例としては、ピン１７の直径＝８φ、ピン穴２１の直径＝８．４φ）。したがって、ロック部材３５は、柄部３３の傾斜部３９Ａあるいは傾斜部３９Ｂに押圧された際に、ピン１７を支点（中心）として、ピン１７とピン穴３６との間に形成される隙間分だけ移動可能となっている。このロック部材３５は、保持部１１の中心線Ｏ１に平行な中心線が、中心線Ｏ１に一致した状態で接続されている。
【００５４】
付勢機構４０は、柄部３３が時計方向に回動した際に、この方向とはほぼ逆の方向にロック部材３５を付勢可能な第１の板ばね４１Ａと、柄部３３が反時計方向に回動した際に、この方向とはほぼ逆の方向にロック部材３５を付勢可能な第２板ばね４１Ｂと、柄部３３の回動方向に応じて、いずれか一方の付勢手段４１Ａあるいは４１Ｂがロック部材３５を付勢するよう切替えを行う切替部材４２と、切替部材４２を係止する２つの係止部４３Ａ及び４３Ｂと、を備えて構成されている。
【００５５】
第１の板ばね４１Ａは一端が、切替部材４２の長手方向の一端部（図９及び図１０でいう下側）に固定されている。また、第１の板ばね４１Ａの他端部には、ロック部材３５の一部外周面に沿って当接し、ロック部材３５を支持可能な支持曲面４４Ａが形成されている。
【００５６】
第２の板ばね４１Ｂは一端が、切替部材４２の長手方向の他端部（図９及び図１０でいう上側）に固定されている。また、第２の板ばね４１Ｂの他端部には、ロック部材３５の一部外周面に沿って当接し、ロック部材３５を支持可能な支持曲面４４Ｂが形成されている。
【００５７】
切替部材４２は略円筒形状を備え、柄部３３の先端部３３Ａ近傍に形成された貫通穴４５に、両端が延出するよう柄部３３に対し移動可能に挿入されている。切替部材４２の移動方向両端部（図９及び図１０でいう上下方向）には、第１の板ばね４１Ａ及び第２の板ばね４１Ｂが各々固定されている。また、切替部材４２の移動方向中央より若干第１の板ばね４１Ａ側には、後に詳述する係止部４３Ａの球体５１が係合する係合溝４６が形成されている。また、この係合溝４６と約９０度位相すると共に、係合溝４６より切替部材４２のほぼ移動距離分、第１の板ばね４１Ａ側には、係止部４３Ｂの球体５２が係合する係合溝４７が形成されている。この切替部材４２は、図９及び図１０に示すように上側に移動した際は、第１の板ばね４１Ａの支持曲面４４Ａがロック部材３５の下側の外周面の一部に沿って当接するよう構成されている。また、切替部材４２が、図９及び図１０でいう下側に移動した際は、第２の板ばね４１Ｂの支持曲面４４Ｂがロック部材３５の上側の外周面の一部に沿って当接するよう構成されている。
【００５８】
係止部４３Ａは、柄部３３の貫通穴４５に連設された係止部収容部４８Ａ内に収容され、切替部材４２の係合溝４６に係合可能な球体５１と、球体５１を付勢するばね５３を備えて構成されている。この係止部４３Ａは、切替部材４２が図９及び図１０に示すように上側に移動した際に、係合溝４６に球体５１を係合させ、切替部材４２をこの位置に係止させる。また、切替部材４２が図９及び図１０でいう下側に移動した際には、球体５１にばね５３の付勢力が働き、球体５１と係合溝４６との係合が解除される。
【００５９】
また、係止部４３Ｂは、柄部３３の貫通穴４５に連設された係止部収容部４８Ｂ内に収容され、切替部材４２の係合溝４７に係合可能な球体５２と、球体５２を付勢するばね５４Ａ及び５４Ｂを備えて構成されている。この係止部４３Ｂは、切替部材４２が、図９及び図１０でいう下側に移動した際に、係合溝４７に球体５２を係合させ、切替部材４２をこの位置に係止させる。また、切替部材４２が再び図９及び図１０に示すように上側に移動すると、球体５２にばね５４Ａ及び５４Ｂの付勢力が働き、球体５２と係合溝４７との係合が解除される。
【００６０】
なお、レンチ３は、初期状態にある時に、切替部材４２がいずれの方向に位置していてもよい。
【００６１】
次に、実施の形態３にかかるレンチ３の具体的動作について図面を参照して説明する。
【００６２】
初期状態にあるレンチ３（図９参照）の穴１６内に挿入した締結部材１００を時計方向に回転させたい場合、切替部材４２を図９及び図１０に示すように上側に移動させる。この動作により、係止部４３Ａの球体５１が切替部材４２の係合溝４６に係合し、切替部材４２をこの位置に維持する。この時、第１の板ばね４１Ａがロック部材３５の下側の外周面の一部に沿って当接する。この状態から、柄部３３をピン１７を支点として時計方向（図９に示す矢印Ｙ方向）に回動させると、柄部３３の傾斜部３９Ａがロック部材３５を押圧し、これによってロック部材３５は、第１の板ばね４１Ａと傾斜部３９Ａに押圧されて、ピン１７とピン穴３６との間に形成された隙間分、図９及び図１０でいう左上に移動し、内周面１２から穴１６内に突出する。この動作により、締結部材１００は、内周面１２とロック部材３５との間に把持される。この時、締結部材１００は、ロック部材３５の楔効果によって確実に締め付けられる。一方、柄部３３は、保持部１１に対してこれ以上相対的に回動しなくなり、保持部１１と一体となって締結部材１００を、時計方向に回転させる。
【００６３】
締結部材１００の回転を終了させる際は、柄部３３の回動を停止すれば、柄部３３の傾斜部３９Ａがロック部材３５に対する押圧を解除し、ロック部材３５が元の位置に戻り、保持部１１の内周面１２から突出しなくなる。したがって、締結部材１００はレンチ３によって把持されなくなり、回転が終了する。
【００６４】
一方、レンチ３の穴１６内に挿入した締結部材１００を反時計方向に回転させたい場合、切替部材４２を図９及び図１０でいう下側に移動させる。この動作により、係止部４３Ａの球体５１にばね５３の付勢力が働き、球体５１と係合溝４６との係合が解除される。また、係止部４３Ｂの球体５２が切替部材４２の係合溝４７に係合し、切替部材４２をこの位置に維持する。この時、第２の板ばね４１Ｂがロック部材３５の上側の外周面の一部に沿って当接する。この状態から、柄部３３をピン１７を支点として反時計方向（図９に示す矢印Ｘ方向）に回動させると、柄部３３の傾斜部３９Ｂがロック部材３５を押圧し、これによってロック部材３５は、第２の板ばね４１Ｂと傾斜部３９Ｂに押圧されて、ピン１７とピン穴３６との間に形成された隙間分、図９及び図１０でいう左下に移動し、内周面１２から穴１６内に突出する。この動作により、締結部材１００は、内周面１２とロック部材３５との間に把持される。この時、締結部材１００は、ロック部材３５の楔効果によって確実に締め付けられる。一方、柄部３３は、保持部１１に対してこれ以上相対的に回動しなくなり、保持部１１と一体となって締結部材１００を反時計方向に回転させる。
【００６５】
締結部材１００の回転を終了させる際は、前記と同様に柄部３３の回動を停止すればよい。
【００６６】
このように、レンチ３は、一つのロック部材３５を配設するだけという簡単な構造で締結部材１００を確実に両方向に回転させることができる。
【００６７】
なお、実施の形態３にかかるレンチ３は、ロック部材３５のピン穴３６とピン１７との間に形成される隙間の大きさを調節することで、ロック部材３５が保持部１１の内周面１２から突出する量を制御することができる。したがって、締結部材１００のサイズが変更になっても、ロック部材３５が内周面１２から突出する量を調節して、このサイズが変更になった締結部材１００を回転させることができ、汎用性が高いレンチとなる。
【００６８】
【発明の効果】
以上説明したように、本発明よれば、簡単な構造であっても、略円筒形状を備えた部材を確実に把持して回転させることができ、かつ前記部材のサイズが変更されても、このサイズ変更に対応できる汎用性の高いレンチを提供することができる。
【図面の簡単な説明】
【図１】本発明の実施の形態１にかかるレンチの初期状態を示す断面図（図３に示すＩ−Ｉ線に沿った断面図）である。
【図２】図１に示すレンチの一部を拡大した図（但し、煩雑さを避けるため、断面部分を示すハッチングは省略）である。
【図３】図１に示すＩＩＩ−ＩＩＩ線に沿った断面図である。
【図４】本発明の実施の形態２にかかるレンチの初期状態を示す断面図（図６に示すＩＶ−ＩＶ線に沿った断面図）である。
【図５】図４に示すレンチの一部を拡大した図（但し、煩雑さを避けるため、断面部分を示すハッチングは省略）である。
【図６】図４に示すレンチの一部を拡大した図（但し、煩雑さを避けるため、断面部分を示すハッチングは省略）である。
【図７】図４に示すＶＩ−ＶＩ線に沿った断面図である。
【図８】図４のＶＩＩＩ−ＶＩＩＩ線に沿った断面図である。
【図９】本発明の実施の形態３にかかるレンチの初期状態を示す断面図（図１１に示すＩＸ−ＩＸ線に沿った断面図）である。
【図１０】図９に示すレンチの一部を拡大した図（但し、煩雑さを避けるため、断面部分を示すハッチングは省略）である。
【図１１】図９に示すＸＩ−ＸＩ線に沿った断面図である。
【符号の説明】
１、２、３　　レンチ
１１　　保持部
１２　　内周面
１３、２３、３３　　柄部
１４、３４　　接続部
１５、２５、３５　　ロック部材
１７、１８　　ピン
１９、２９、３９Ａ、３９Ｂ　　傾斜部
４０　　付勢機構
４１Ａ　　第１の板ばね
４１Ｂ　　第２の板ばね
４２　　切替部材
４３Ａ、４３Ｂ　　係止部
【図１】
2004114199.tif 000003
【図２】
2004114199.tif 000004
【図３】
2004114199.tif 000005
【図４】
2004114199.tif 000006
【図５】
2004114199.tif 000007
【図６】
2004114199.tif 000008
【図７】
2004114199.tif 000009
【図８】
2004114199.tif 000010
【図９】
2004114199.tif 000011
【図１０】
2004114199.tif 000012
【図１１】
2004114199.tif 000013